【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
負荷が周期的に変化する電気モータのエネルギー節約方法において、
前記モータに印加される供給電圧及び電流を検出する工程と、
前記供給電圧と前記電流の間の位相角を監視する工程と、
前記負荷の周期的な変化の存続期間に対応する時間セグメント値を得る工程と、
監視位相角を閾値位相角と比較する工程と、
前記監視位相角が前記閾値位相角に近づくと、前記供給電圧を調節する工程であって、前記供給電圧は、前記供給電圧及び前記電流と電気的に繋がるスイッチングデバイスの点弧角を変化させることで調節され、前記供給電圧が調節されて、前記監視位相角が目標位相角に対応する値に維持される工程と、
前記点弧角が閾値点弧角を下回ると、前記モータに前記供給電圧を印加する工程と、
前記時間セグメント値の間における少なくとも１つのオフ期間を特定する工程であって、前記少なくとも１つのオフ期間は、調節された前記供給電圧が前記モータに印加される時に対応している工程と、
前記少なくとも１つのオフ期間中に、前記供給電圧と前記モータを切り離す工程と、
前記時間セグメント値の残り中に、前記供給電圧と前記モータを繋げる工程であって、 前記時間セグメント値の残りは、少なくとも１つのターンオン期間を含んでいる工程と、を含むエネルギー節約方法。
【請求項２】
対応するターンオン期間の始めに起こるターンオン位相角を監視する工程を更に含む、請求項１に記載の方法。 
【請求項３】
前記ターンオン位相角と理想位相角とを比較する工程を更に含む、請求項２に記載の方法。
【請求項４】
前記ターンオン位相角が、前記理想位相角よりも大きい場合、前記時間セグメント値中における前記少なくとも１つのターンオフ期間の存続期間を増加させる工程と、前記ターンオン位相角が、前記理想位相角よりも小さい場合、前記少なくとも１つのターンオフ期間を減少させる工程とを更に含む、請求項３に記載の方法。
【請求項５】
前記閾値位相角、前記目標位相角、前記閾値点弧角、及び前記理想位相角の少なくとも１つは、リアルタイムで調節される、請求項４に記載の方法。
【請求項６】
連続する複数の時間セグメント値中に、前記少なくとも１つのオフ期間に対応して、前記供給電圧と前記モータを切り離す工程と、
連続する複数の時間セグメント値中に、前記少なくとも１つのターンオン期間に対応して、前記供給電圧と前記モータを繋げる工程と、
前記連続する複数の時間セグメント値の各々の間にて、前記監視位相角が、タイミングの閾値を満たすか否かを判定する工程と、
前記監視位相角が、前記タイミングの閾値を満たさない場合、
前記監視位相角が前記閾値位相角に近づくと、前記供給電圧を調節する工程であって、前記供給電圧は、前記供給電圧及び前記電流と電気的に繋がる前記スイッチングデバイスの前記点弧角を変化させることで調節され、前記供給電圧が調節されて、前記監視位相角が目標位相角に対応する前記値に維持される工程と、
前記点弧角が前記閾値点弧角を下回ると、前記モータに前記供給電圧を印加する工程と、
時間セグメント値中における少なくとも１つの変更されたオフ期間を特定する工程であって、前記少なくとも１つの変更されたオフ期間は、調節された前記供給電圧が前記モータに印加される時に対応している工程と、
前記少なくとも１つの変更されたオフ期間中に、前記供給電圧と前記モータを切り離す工程と、
前記時間セグメント値の残り中に、前記供給電圧と前記モータを繋げる工程と、
を繰り返す工程を行う、請求項１に記載の方法。
【請求項７】
前記繰り返す工程は、所定の時間に実行される、請求項６に記載の方法。
【請求項８】
前記供給電圧を印加する工程は、前記監視位相角がストール位相角未満に減少すると実行される、請求項１に記載の方法。
【請求項９】
前記供給電圧を調節する工程は、前記電流を維持して前記位相角を監視する工程を含む、請求項１に記載の方法。
【請求項１０】
連続する複数の時間セグメント値の各々の中における、特定された前記少なくとも１つのオフ期間の存続期間と、連続する複数の時間セグメント値の各々の存続期間の少なくとも１つを決定する工程を更に含む、請求項１に記載の方法。
【請求項１１】
前記連続する複数の時間セグメント値の各々の間にて、２００ミリ秒未満の変化が検出される場合、前記連続する複数の時間セグメント値の各々の存続期間は、ほぼ同じである、請求項１０に記載の方法。
【請求項１２】
前記連続する複数の時間セグメント値について、特定された前記少なくとも１つのオフ期間の各々の存続期間の間にて、１５０ミリ秒未満の変化が検出される場合、特定された前記少なくとも１つのオフ期間の存続期間は、ほぼ同じである、請求項１０に記載の方法。
【請求項１３】
前記供給電圧と前記モータを切り離すことで、前記時間セグメントの存続期間を低減する工程を更に含む、請求項１に記載の方法。
【請求項１４】
負荷が周期的に変化する電気モータのエネルギー節約方法において、
前記電気モータに印加される供給電圧及び電流を検出する工程と、
前記モータに供給された前記供給電圧と前記電流の間の位相角を監視する工程と、
前記負荷の周期的な変化の存続期間に対応する時間セグメント値を得る工程と、
前記監視位相角と閾値位相角とを比較する工程と、
前記監視位相角が前記閾値位相角に近づくと、前記モータへの前記供給電圧を制御して、前記供給電圧が制御されて、前記監視位相角が、目標位相角に対応する値に維持される工程と、
前記電流の実成分をほぼゼロに、前記電流の無効分をゼロよりも大きくなるように制御する工程と、
前記監視位相角がストール位相角未満に減少すると、前記モータに前記供給電圧を印加する工程と、
前記時間セグメント値中における少なくとも１つのオフ期間を特定する工程であって、前記少なくとも１つのオフ期間は、前記供給電圧が制御される時に対応している工程と、
前記時間セグメント値中における前記少なくとも１つのターンオフ期間の存続期間を設定する工程と、
前記少なくとも１つのターンオフ期間中、前記モータと前記供給電圧を切り離す工程と、
前記時間セグメント値の残り中に、前記供給電圧を前記モータに繋ぐ工程と、
を含むエネルギー節約方法。
【請求項１５】
前記時間セグメント値の前記残りの始めに起こるターンオン位相角と、理想位相角を比較する工程と、
前記ターンオン位相角が、前記理想位相角よりも大きい場合、前記時間セグメント値中における前記少なくとも１つのターンオフ期間の存続期間を増加させる工程と、前記ターンオン位相角が前記理想位相角よりも小さい場合、前記少なくとも１つのターンオフ期間の存続期間を減少させる工程と、
を更に含む請求項１４に記載の方法。
【請求項１６】
前記供給電圧及び前記モータと電気的に繋がるスイッチングデバイスの点弧角が閾値点弧角を下回ると、前記点弧角を調節する工程を更に含む、請求項１４に記載の方法。
【請求項１７】
連続する複数の時間セグメント値の各々の中における、特定された前記少なくとも１つのオフ期間の存続期間と、連続する複数の時間セグメント値の各々の存続期間の少なくとも１つを決定する工程を更に含む、請求項１４に記載の方法。
【請求項１８】
負荷が周期的に変化する電気モータのエネルギー節約方法において、
前記電気モータに印加される供給電圧及び電流を検出する工程と、 
前記モータに印加される前記供給電圧と前記電流の間の位相角を監視する工程と、
前記負荷の周期的な変化の存続期間に対応する時間セグメント値を得る工程と、
前記監視位相角と閾値位相角を比較する工程と、
前記監視位相角が前記閾値位相角に近づくと、前記供給電圧を調節する工程であって、前記供給電圧が調節されて、前記監視位相角が目標位相角に対応する値に維持される工程と、
前記供給電圧及び前記モータと電気的に繋がるスイッチングデバイスの点弧角が閾値点弧角を下回ると、前記モータに前記供給電圧を印加する工程と、
前記時間セグメント値中における少なくとも１つのオフ期間を特定する工程であって、前記少なくとも１つのオフ期間は、調節された前記供給電圧が前記モータに印加される時に対応している工程と、
前記少なくとも１つのオフ期間中、前記供給電圧と前記モータを切り離す工程と、
少なくとも１つのターンオン期間を含む前記時間セグメント値の残り中、前記供給電圧と前記モータを繋ぐ工程と、
対応する前記ターンオン期間の始めに起こるターンオン位相角を監視する工程と、
前記ターンオン位相角と理想位相角とを比較する工程と、
前記ターンオン位相角が前記理想位相角よりも大きい場合、前記時間セグメント値中における前記少なくとも１つのターンオフ期間の存続期間を増加させ、前記ターンオン位相角が前記理想位相角よりも小さい場合、前記少なくとも１つのターンオフ期間の存続期間を減少させる工程と、
を含むエネルギー節約方法。
【請求項１９】
連続する複数の時間セグメント値の各の々中において、特定された前記少なくとも１つのオフ期間の存続期間と、連続する複数の時間セグメント値の各々の存続期間の少なくとも１つを決定する工程を更に含む、請求項１８に記載の方法。
【請求項２０】
前記閾値位相角、前記目標位相角、前記閾値点弧角、及び前記理想位相角の少なくとも１つは、リアルタイムで調節される、請求項１８に記載の方法。